(57)【要約】【課題】他装置を操作するためのワイヤレスリモコンによって感知器を操作する。【解決手段】監視対象の異常を検知する感知部１１と、予め設定された閾値以上の強度を有した赤外線を検知する受光部１５と、受光部１５による赤外線の検知に対して、感知器１で実行可能な特定機能を割り付ける機能割付手段２３と、受光部１５による赤外線の検知があったときには、機能割付手段２３によって割り付けられた機能を実行させる制御部１８とを備える。【選択図】図１
2010079537.tif 000002
【特許請求の範囲】
【請求項１】
監視対象の異常を検知する感知部と、
予め設定された閾値以上の強度を有した赤外線を検知する受光部と、
前記受光部による赤外線の検知に対して、感知器で実行可能な特定機能を割り付ける機能割付手段と、
前記受光部による赤外線の検知があったときには、前記機能割付手段によって割り付けられた機能を実行させる制御部とを備えた感知器。
【請求項２】
請求項１において、
前記受光部における赤外線の入射角度を規制する規制手段を更に備えた感知器。
【請求項３】
請求項１または２において、
前記閾値を設定する設定部を更に備えた感知器。
【請求項４】
請求項１〜３のいずれかにおいて、
前記受光部は、検知した赤外線の信号パターンを識別する識別部を備え、
前記機能割付手段は、前記受光部が赤外線を検知したときに、赤外線の信号パターンの登録操作がなされていれば、該赤外線の信号パターンに対して、感知器で実行可能な特定機能を割り付けて登録し、
前記制御部は、前記受光部が赤外線を検知したときに、前記赤外線の信号パターンの登録操作がなされていなければ、該赤外線の信号パターンに対して割り付けられた機能を選択して実行させる感知器。
【発明の詳細な説明】
【技術分野】
【０００１】
本発明は、住戸の天井面あるいは壁面に設置され、監視対象の異常を感知すると、警報を出力する感知器のリモート操作に関する。
【背景技術】
【０００２】
従来、例えば次の非特許文献１にあるように、不審者に侵入等を検知する防犯センサでは、ワイヤレスリモコンにより、警戒、解除をリモート操作するタイプのものが市販されている。
【０００３】
また、リモコンによる操作が可能な感知器の例として、次の特許文献１には、空間に一定の離隔距離を隔てて対向配置された分離型減光式煙感知器の光軸合わせを、リモコン操作器を用いて遠隔操作する技術が開示されている。
【非特許文献１】http://www.hapima.com/prd/02000329/02000329201/
【特許文献１】特開平08-062135号公報
【発明の開示】
【発明が解決しようとする課題】
【０００４】
しかしながら、上記のような防犯センサ、あるいは感知器は、専用のリモコンでなければ操作できないようになっているため、リモコンを含めるとコストが高くなるという問題があった。そこで、本発明は、リモート操作が可能でありながら、コストが抑えられた感知器の新規な構成を提案する。
【課題を解決するための手段】
【０００５】
本発明による感知器は、監視対象の異常を検知する感知部と、予め設定された閾値以上の強度を有した赤外線を検知する受光部と、前記受光部による赤外線の検知に対して、感知器で実行可能な特定機能を割り付ける機能割付手段と、前記受光部による赤外線の検知があったときには、前記機能割付手段によって割り付けられた機能を実行させる制御部とを備える。
【０００６】
前記感知器は、前記受光部における赤外線の入射角度を規制する規制手段を更に備えてもよい。
【０００７】
また、前記受光部に所望の検出感度を設定する設定部を更に備えてもよい。
【０００８】
より望ましい構成では、前記受光部は、検知した赤外線の信号パターンを識別する識別部を備え、前記機能割付手段は、前記受光部が赤外線を検知したときに、赤外線の信号パターンの登録操作がなされていれば、該赤外線の信号パターンに対して、感知器で実行可能な特定機能を割り付けて登録し、前記制御部は、前記受光部が赤外線を検知したときに、前記赤外線の信号パターンの登録操作がなされていなければ、該赤外線の信号パターンに対して割り付けられた機能を選択して実行させる。
【発明の効果】
【０００９】
本発明によれば、天井面に設置された感知器の操作釦に手が届かなくても、テレビジョン等、他装置を操作するための赤外線リモコンによってリモート操作が可能なため、専用リモコンが不要であり、コストが抑えられる。更に、引紐も不要なので美観に優れる。
【００１０】
規制手段によって、受光部における赤外線の入射角度を規制する構成、あるいは受光部の赤外線に対する検出感度を調整する構成では、感知器に対して特定の角度（例えば天井設置の場合は直下から）で赤外線リモコンを操作し、また、赤外線リモコンを感知器に近づけて操作しなければ、感知器が反応しないように設定できる。従って、誤動作が防止できる。
【００１１】
また、より望ましい構成によれば、感知器が特定の赤外リモコンのみに反応するようになるので、誤動作が防止できる。また、例えば、テレビジョン用の赤外線リモコンのチャネル１キーに警報停止を割り付け、更にチャネル２キーに自己診断の実行を割り付ける等、複数の機能に対応することも可能になる。
【発明を実施するための最良の形態】
【００１２】
本発明は、住戸の天井面あるいは壁面に設置され、監視対象の異常を感知すると、警報を出力する感知器に関するもので、例えば、火災感知器、ガス漏れ感知器等に好適であるが、それ以外にも、不審者の侵入を感知する防犯センサ等にも適用できる。また、これらの感知器は有線、あるいは無線によって連動して警報を出力する感知器にも適用できる。以下では、火災感知器を実施例として、本発明を図に従って詳細に説明する。
【００１３】
図１は実施例の基本構成を示した機能ブロック図、図２は実施例の外観を示した斜視図、図３は、実施例の内部構造を示した縦方向の破断図である。
【００１４】
この感知器１は、火災要因として煙あるいは熱を検出するセンサ１１を有し、センサ１１の駆動回路等で構成された感知部１２と、例えば「ヒュンヒュン、火事です、火事です」等の警報を音声出力する出力部１３と、警報停止操作等を受け付ける操作部１４と、光学フィルタやホトダイオード等で構成され、予め設定された閾値以上の強度を有した赤外線を検出する受光部１５と、感知部１２等を自己診断するための試験部１６と、受光部１５による赤外線の検知に対して、感知器１で実行可能な特定機能を割り付ける機能割付手段２３と、これらの各部を制御する制御部１８等で構成されている。
【００１５】
ここに、１１ａはセンサ１１の保護、防虫カバー、１３ａは出力部１３を構成するスピーカのための通音孔、１４ａは操作部１４を構成する操作釦である。
【００１６】
また、２０は受光部１５における赤外線の入射角θを規制する規制手段で、この例では、本体カバーの表面から回路基板２０の受光部１５に向かう筒状の導光路として構成され、この導光路を通過した赤外線のみが受光部１５に到達できるようになっている。なお、変形例として、入射角を所望の角度に設定できるように、規制手段２０は、例えば回動軸によって本体カバーに枢設し角度調整自在としてもよい。
【００１７】
また、２１は受光部１５に所望の閾値を設定する設定部で、例えば、回転つまみを備えたボリュームで構成されている。１９は、制御部１８等の電子部品を実装した回路基板である。
【００１８】
機能割付手段２３は、基本的な構成では、誤操作を防止できる小型のスイッチ、例えば、本体カバーの小孔からボールペンの先等で操作するようにした１つのマイクロスイッチとし、操作される毎に、制御部１８は、受光部１５による赤外線の検知に対して、警報停止、自己診断の実行等の機能のいずれかをサイクリックに割り付けて、その割付け情報を図示しない記憶部等に登録する。これに対して、制御部１８は、受光部１５による赤外線の検知があったときには、機能割付手段２３によって割り付けられた機能を実行させるようにする。
【００１９】
図４は、この構成とした場合の、感知器１の動作を示したフローチャートである。このフローチャートでは、まず、赤外線を受光しているか否かを判断し、受光していれば、更に、赤外線の強度を判定する（Ｓ１０１、Ｓ１０２）。ここで、赤外線の強度が閾値以上であれば、割り付けられた機能を実行する（Ｓ１０３）。
【００２０】
この構成によれば、天井面に設置された感知器１の操作釦１４ａに手が届かなくても、他装置を操作するための赤外線リモコン３０によってリモート操作が可能なため、専用リモコンが不要であり、コストが抑えられる。更に、引紐も不要なので美観に優れる。なお、受光部１５による赤外線の検知に対して、警報停止、あるいは自己診断の実行を固定的に割り付けてもよい。また、どのような機能が割り付けられたかを音声によって報知することが望ましい。
【００２１】
また、より望ましい構成では、受光部１５は、検知した赤外線の信号パターンを識別する識別部２２を備え、機能割付手段２３は、警報停止、自己診断の実行等の機能毎に独立したマイクロスイッチとし、受光部１５が赤外線を検知したときに、赤外線の信号パターンの登録操作として、いずれかのマイクロスイッチが操作されていれば、その赤外線の信号パターンに対して、感知器１で実行可能な特定機能を割り付けて、その割付け情報を図示しない記憶部等に登録する。これに対して、制御部１８は、受光部１５が赤外線を検知したときに、赤外線の信号パターンの登録操作がなされていなければ、その赤外線の信号パターンに対して割り付けられた機能を選択して実行させるようにする。
【００２２】
図５は、この構成としたときの、感知器１の動作を説明するフローチャートである。このフローチャートでは、まず、赤外線を受光しているか否かを判断し、受光していれば、赤外線の強度を判定する（Ｓ２０１、Ｓ２０２）。ここで、赤外線の強度が閾値以上であれば、更に、赤外線の信号パターンの登録操作がなされているか否かを判断する（Ｓ２０３）ここで、登録操作がなされていれば、赤外線の信号パターンを識別して、その赤外線の信号パターンに対して、感知器で実行可能な特定機能を割り付ける（Ｓ２０４、Ｓ２０５）。一方、登録操作がなされていなければ、赤外線の信号パターンに対して割り付けられた機能を選択して実行する（Ｓ２０６、Ｓ２０７）。
【００２３】
この構成によれば、感知器１が特定の赤外リモコン３０のみに反応するようになるので、誤動作が防止できる。また、例えば、テレビジョン用の赤外線リモコンのチャネル１キーに警報停止を割り付け、更にチャネル２キーに自己診断の実行を割り付ける等、複数の機能に対応することも可能になる。
【００２４】
また、設定部２１によって、受光部１４ｃの赤外線に対する検出感度を調整する、あるいは、規制手段２０によって、受光部１５における赤外線の入射角度を規制することにより、赤外線リモコン３０を感知器１に近づけ、あるいは感知器に対して特定の角度（例えば天井設置の場合は直下から）で赤外線リモコン３０を操作しなければ、感知器１が反応しないようにできる。従って、誤動作が一層防止できる。
【００２５】
また、受光部１４ｃは、予め設定した所定時間以上継続して赤外線を受光したときに、赤外線を検出したと判断するようにしてもよい。このような構成では、赤外線リモコン３０のキーを長押ししないと感知器１をリモート操作することができないため、誤動作がより一層防止できる。
【図面の簡単な説明】
【００２６】
【図１】実施例の基本構成を示した機能ブロック図である。
【図２】実施例の外観を示した斜視図である。
【図３】実施例の内部構造を示した縦方向の破断図である。
【図４】実施例の動作を説明するフローチャートである。
【図５】実施例の他の動作を説明するフローチャートである。
【符号の説明】
【００２７】
１      感知器
１２    感知部
１５    受光部
１８    制御部
２０    規制手段
２１    設定部
２３    機能割付手段
【図１】
2010079537.tif 000003
【図２】
2010079537.tif 000004
【図３】
2010079537.tif 000005
【図４】
2010079537.tif 000006
【図５】
2010079537.tif 000007